(57)【要約】【課題】プライベート通話状態を選択している携帯電話機へのメール着信が発生した場合にユーザの意図を損なうことなく適切に対処する。【解決手段】車載ハンズフリー装置２は、携帯電話機３との間でＨＦＰ及びＭＡＰを接続しているときに、メール着信した携帯電話機３がハンズフリー通話状態にあれば、メール着信通知画面２４を表示装置１６に表示させたりメール着信通知音をスピーカ１２，１３から出力させたりするが、一方、メール着信した携帯電話機３がプライベート通話状態にあれば、メール着信通知画面２４を表示装置１６に表示させるだけでメール着信通知音をスピーカ１２，１３から出力させない。【選択図】図１
2010136076.tif 000002
【特許請求の範囲】
【請求項１】
ハンズフリー機能付き車載装置との間でハンズフリー通話を実現するためのハンズフリー通話プロトコルを接続している状態で当該ハンズフリー機能付き車載装置との間で音声パスを開通させて当該ハンズフリー機能付き車載装置側の音声入力手段により入力された音声を送話音声として通話相手に送信させ且つ通話相手から受信された音声を当該ハンズフリー機能付き車載装置側の音声出力手段から受話音声として出力させるハンズフリー通話状態及び当該ハンズフリー機能付き車載装置との間で音声パスを閉鎖させて自機の音声入力手段により入力した音声を送話音声として通話相手に送信し且つ通話相手から受信した音声を自機の音声出力手段から受話音声として出力するハンドセット通話状態のうち何れかを選択可能に構成されている携帯電話機との間でハンズフリー通話プロトコルとメール転送を実現するためのメール転送プロトコルとを同時接続可能な接続手段と、
前記接続手段との間でメール転送プロトコルを接続している携帯電話機がメール着信したか否かを判定するメール着信判定手段と、
前記接続手段との間で前記ハンズフリー通話プロトコルを接続している携帯電話機が前記ハンズフリー通話状態及び前記ハンドセット通話状態のうち何れを選択しているかを判定する状態判定手段と、
前記接続手段との間で前記メール転送プロトコルを接続している携帯電話機がメール着信した旨を前記メール着信判定手段が判定し、メール着信した携帯電話機が前記ハンズフリー通話状態を選択している旨を前記状態判定手段が判定した場合に、メール着信を通知するためのメール着信通知をユーザに対して行う制御手段とを備え、
前記制御手段は、前記接続手段との間で前記メール転送プロトコルを接続している携帯電話機がメール着信した旨を前記メール着信判定手段が判定し、メール着信した携帯電話機が前記ハンドセット通話状態を選択している旨を前記状態判定手段が判定した場合に、メール着信した携帯電話機が前記ハンズフリー通話状態を選択している旨を前記状態判定手段が判定した場合に行うメール着信通知に比べて当該メール着信がユーザ以外の同乗者に気付かれ難い態様でメール着信通知をユーザに対して行うことを特徴とするハンズフリー機能付き車載装置。
【請求項２】
請求項１に記載したハンズフリー機能付き車載装置において、
前記制御手段は、メール着信した携帯電話機が前記ハンズフリー通話状態を選択している旨を前記状態判定手段が判定した場合に行うメール着信通知に比べて当該メール着信がユーザ以外の同乗者に気付かれ難い態様として、メール着信を通知するためのメール着信通知音を前記音声出力手段から出力させることなく、メール着信を通知するためのメール着信通知画面をハンズフリー機能付き車載装置側の表示手段に表示させることを特徴とするハンズフリー機能付き車載装置。
【請求項３】
ハンズフリー機能付き車載装置との間でハンズフリー通話を実現するためのハンズフリー通話プロトコルを接続している状態で当該ハンズフリー機能付き車載装置との間で音声パスを開通させて当該ハンズフリー機能付き車載装置側の音声入力手段により入力された音声を送話音声として通話相手に送信させ且つ通話相手から受信された音声を当該ハンズフリー機能付き車載装置側の音声出力手段から受話音声として出力させるハンズフリー通話状態及び当該ハンズフリー機能付き車載装置との間で音声パスを閉鎖させて自機の音声入力手段により入力した音声を送話音声として通話相手に送信し且つ通話相手から受信した音声を自機の音声出力手段から受話音声として出力するハンドセット通話状態のうち何れかを選択可能に構成されている携帯電話機との間でハンズフリー通話プロトコルとメール転送を実現するためのメール転送プロトコルとを同時接続可能な接続手段と、
前記接続手段との間で前記メール転送プロトコルを接続している携帯電話機がメール着信したか否かを判定するメール着信判定手段と、
前記接続手段との間で前記ハンズフリー通話プロトコルを接続している携帯電話機が前記ハンズフリー通話状態及び前記ハンドセット通話状態のうち何れを選択しているかを判定する状態判定手段と、
前記接続手段との間で前記メール転送プロトコルを接続している携帯電話機がメール着信した旨を前記メール着信判定手段が判定し、メール着信した携帯電話機が前記ハンズフリー通話状態を選択している旨を前記状態判定手段が判定した場合に、メール着信を通知するためのメール着信通知をユーザに対して行う制御手段とを備え、
前記制御手段は、前記接続手段との間で前記メール転送プロトコルを接続している携帯電話機がメール着信した旨を前記メール着信判定手段が判定し、メール着信した携帯電話機が前記ハンドセット通話状態を選択している旨を前記状態判定手段が判定した場合に、メール着信通知をユーザに対して行わないことを特徴とするハンズフリー機能付き車載装置。
【請求項４】
請求項３に記載したハンズフリー機能付き車載装置において、
前記制御手段は、前記接続手段との間で前記メール転送プロトコルを接続している携帯電話機がメール着信した旨を前記メール着信判定手段が判定し、メール着信した携帯電話機が前記ハンドセット通話状態を選択している旨を前記状態判定手段が判定した後では、メール着信した携帯電話機が前記ハンドセット通話状態から前記ハンズフリー通話状態に切替わった旨を前記状態判定手段が判定した場合に、メール着信通知をユーザに対して行うことを特徴とするハンズフリー機能付き車載装置。
【請求項５】
請求項３又は４に記載したハンズフリー機能付き車載装置において、
前記状態判定手段は、前記接続手段との間で前記ハンズフリー通話プロトコルを接続している携帯電話機が前記ハンズフリー通話状態、前記ハンドセット通話状態及び音声着信を待受している待受状態のうち何れを選択しているかを判定し、
前記制御手段は、前記接続手段との間で前記メール転送プロトコルを接続している携帯電話機がメール着信した旨を前記メール着信判定手段が判定し、メール着信した携帯電話機が前記ハンドセット通話状態を選択している旨を前記状態判定手段が判定した後では、メール着信した携帯電話機が前記ハンドセット通話状態から前記待受状態に切替わった旨を前記状態判定手段が判定した場合に、メール着信通知をユーザに対して行うことを特徴とするハンズフリー機能付き車載装置。
【請求項６】
請求項１乃至５の何れかに記載したハンズフリー機能付き車載装置において、
前記制御手段は、メール着信した携帯電話機が前記ハンドセット通話状態を選択しているときにハンズフリー機能付き車載装置側の前記音声出力手段から出力させるメール着信通知音の音量をメール着信した携帯電話機が前記待受状態を選択しているときにハンズフリー機能付き車載装置側の前記音声出力手段から出力させるメール着信通知音の音量よりも小さく設定していることを特徴とするハンズフリー機能付き車載装置。
【請求項７】
ハンズフリー機能付き車載装置との間でハンズフリー通話を実現するためのハンズフリー通話プロトコルとメール転送を実現するためのメール転送プロトコルとを同時接続可能に構成され、前記ハンズフリー通話プロトコルを接続している状態で当該ハンズフリー機能付き車載装置との間で音声パスを開通させて当該ハンズフリー機能付き車載装置側の音声入力手段により入力された音声を送話音声として通話相手に送信させ且つ通話相手から受信された音声を当該ハンズフリー機能付き車載装置側の音声出力手段から受話音声として出力させるハンズフリー通話状態及び当該ハンズフリー機能付き車載装置との間で音声パスを閉鎖させて自機の音声入力手段により入力した音声を送話音声として通話相手に送信し且つ通話相手から受信した音声を自機の音声出力手段から受話音声として出力するハンドセット通話状態のうち何れかを選択可能であり、前記ハンズフリー機能付き車載装置との間で前記ハンズフリー通話プロトコルと前記メール転送プロトコルとを同時接続しており、自機が前記ハンズフリー通話状態を設定しているときにメール着信した場合にメール着信した旨をハンズフリー機能付き車載装置に通知し、自機が前記ハンドセット通話状態を設定しているときにメール着信した場合にメール着信した旨をハンズフリー機能付き車載装置に通知しないことを特徴とする携帯電話機。
【発明の詳細な説明】
【技術分野】
【０００１】
本発明は、携帯電話機との間でハンズフリー通話を実現するためのハンズフリー通話プロトコルとメール転送を実現するためのメール転送プロトコルとを同時接続可能に構成されているハンズフリー機能付き車載装置、ハンズフリー機能付き車載装置との間でハンズフリー通話プロトコルとメール転送プロトコルとを同時接続可能に構成されている携帯電話機に関する。
【背景技術】
【０００２】
Ｂｌｕｅｔｏｏｔｈ（登録商標）（以下、ＢＴと称する）通信機能を有する車載装置が搭載されている車両の車室内にＢＴ通信機能を有する携帯電話機が持込まれ、それら車載装置と携帯電話機とがＢＴ通信可能な状態で通信網から携帯電話機へのメール着信が発生すると、車両運転中にメール着信を車載装置から通知することなく、車両運転停止後にメール着信を車載装置から通知する構成が開示されている（例えば特許文献１参照）。
【特許文献１】特開２００３−２５６３４１号公報
【発明の開示】
【発明が解決しようとする課題】
【０００３】
上記した特許文献１に開示されている技術は、車両運転中のメール着信を車両運転停止後に車両装置から通知する構成であるので、メール着信をリアルタイムに車両装置から通知不可能である。そこで、メール着信をリアルタイムに車両装置から通知可能とする構成が要望されており、メール着信をリアルタイムに車両装置から通知可能とするために、ＢＴの通信規格により定義されているメール転送を実現するためのメッセージ・アクセス・プロファイル（ＭＡＰ）が検討されている。
【０００４】
一方、車室内における携帯電話機の主たる用途としてハンズフリー通話があり、ＢＴの通信規格により定義されているハンズフリー通話を実現するためのハンズフリー・プロファイル（ＨＦＰ）がある。ここで、携帯電話機と車載ハンズフリー装置との間でＨＦＰを接続している場合には、ユーザが通話する形態としては車載ハンズフリー装置側のマイクロホン及びスピーカを使用して通話するハンズフリー通話状態と携帯電話機のマイクロホン及びスピーカを使用して通話するハンドセット通話状態との２つの形態があり得る。ユーザは通話内容（特に通話相手からの受話音声）が同乗者に聞かれても支障がない場合にはハンズフリー通話を選択し、一方、通話内容が同乗者に聞かれてしまうと支障がある場合にはハンドセット通話を選択すると想定される。
【０００５】
このような事情から、出願人はユーザがハンズフリー通話しながらもメール着信をリアルタイムにユーザに通知可能とする構成として、車載ハンズフリー装置と携帯電話機との間でＭＡＰ及びＨＦＰを同時接続する構成を検討している。ここで、ユーザがハンズフリー通話状態を選択している場合に通信網から携帯電話機へのメール着信が発生すると、携帯電話機へのメール着信がＭＡＰにより当該携帯電話機から車載ハンズフリー装置に通知され、メール着信通知音が車載ハンズフリー装置から出力され、ユーザはメール着信通知音を聞くことでメール着信を認識することができる。一方、ユーザがハンドセット通話状態を選択している場合に通信網から携帯電話機へのメール着信が発生すると、ユーザがハンズフリー通話状態を選択している場合に通信網から携帯電話機へのメール着信が発生した場合と同様にしてメール着信通知音が車載ハンズフリー装置から出力され、ユーザはメール着信通知音を聞くことでメール着信を認識することができる。
【０００６】
しかしながら、ユーザがハンドセット通話状態を選択している場合は基本的にプライバシーを確保したい状況にあることを考慮すると、メール着信通知音が車載ハンズフリー装置から出力されてメール着信がユーザ以外の同乗者にも気付かれてしまうことはプライバシーを確保したいというユーザの意図に反することになり、好ましくないという問題がある。
【０００７】
本発明は、上記した事情に鑑みてなされたものであり、その目的は、ハンドセット通話状態を選択している携帯電話機へのメール着信が発生した場合に、ユーザの意図を損なうことなく適切に対処することを可能とする車載ハンズフリー装置及び携帯電話機を提供することにある。
【課題を解決するための手段】
【０００８】
請求項１に記載したハンズフリー機能付き車載装置によれば、制御手段は、接続手段との間でメール転送プロトコルを接続している携帯電話機がメール着信した旨をメール着信判定手段が判定し、メール着信した携帯電話機がハンズフリー通話状態を選択している旨を状態判定手段が判定すると、メール着信を通知するためのメール着信通知をユーザに対して行い、一方、接続手段との間でメール転送プロトコルを接続している携帯電話機がメール着信した旨をメール着信判定手段が判定し、メール着信した携帯電話機がハンドセット通話状態を選択している旨を状態判定手段が判定すると、メール着信した携帯電話機がハンズフリー通話状態を選択している旨を状態判定手段が判定した場合に行うメール着信通知に比べて当該メール着信がユーザ以外の同乗者に気付かれ難い態様でメール着信通知をユーザに対して行う。
【０００９】
これにより、携帯電話機がハンズフリー通話状態にあるときにメール着信した場合であれば、メール着信通知を行うことでメール着信をユーザにリアルタイムに認識させることができ、一方、携帯電話機がハンドセット通話状態にあるときにメール着信した場合であれば、メール着信がユーザ以外の同乗者に気付かれ難い態様でメール着信通知をユーザに対して行うことでユーザのプライバシーを確保することができ、ユーザの意図を損なうことなく適切に対処することができる。
【００１０】
請求項２に記載したハンズフリー機能付き車載装置によれば、制御手段は、メール着信した携帯電話機がハンズフリー通話状態を選択している旨を状態判定手段が判定した場合に行うメール着信通知に比べて当該メール着信がユーザ以外の同乗者に気付かれ難い態様として、メール着信を通知するためのメール着信通知音を音声出力手段から出力させることなく、メール着信を通知するためのメール着信通知画面をハンズフリー機能付き車載装置側の表示手段に表示させる。
【００１１】
これにより、ユーザのプライバシーを確保することができながらも、メール着信通知画面をハンズフリー機能付き車載装置側に表示させることでメール着信をユーザに視覚的にリアルタイムに認識させることができる。
【００１２】
請求項３に記載したハンズフリー機能付き車載装置によれば、制御手段は、接続手段との間でメール転送プロトコルを接続している携帯電話機がメール着信した旨をメール着信判定手段が判定し、メール着信した携帯電話機がハンズフリー通話状態を選択している旨を状態判定手段が判定すると、メール着信を通知するためのメール着信通知をユーザに対して行い、一方、接続手段との間でメール転送プロトコルを接続している携帯電話機がメール着信した旨をメール着信判定手段が判定し、メール着信した携帯電話機がハンドセット通話状態を選択している旨を状態判定手段が判定すると、メール着信通知をユーザに対して行わない。
【００１３】
これにより、携帯電話機がハンズフリー通話状態にあるときにメール着信した場合であれば、メール着信通知を行うことでメール着信をユーザにリアルタイムに認識させることができ、一方、携帯電話機がハンドセット通話状態にあるときにメール着信した場合であれば、メール着信通知をユーザに対して行わないことでユーザのプライバシーを確実に確保することができ、ユーザの意図を損なうことなく適切に対処することができる。
【００１４】
請求項４に記載したハンズフリー機能付き車載装置によれば、制御手段は、接続手段との間でメール転送プロトコルを接続している携帯電話機がメール着信した旨をメール着信判定手段が判定し、メール着信した携帯電話機がハンドセット通話状態を選択している旨を状態判定手段が判定した後では、メール着信した携帯電話機がハンドセット通話状態からハンズフリー通話状態に切替わった旨を状態判定手段が判定すると、メール着信通知をユーザに対して行う。
【００１５】
これにより、ユーザがハンドセット通話からハンズフリー通話に切替える操作を行うことで携帯電話機がハンドセット通話状態からハンズフリー通話状態に切替わった後に、メール着信をユーザに認識させることができる。
【００１６】
請求項５に記載したハンズフリー機能付き車載装置によれば、制御手段は、接続手段との間でメール転送プロトコルを接続している携帯電話機がメール着信した旨をメール着信判定手段が判定し、メール着信した携帯電話機がハンドセット通話状態を選択している旨を状態判定手段が判定した後では、メール着信した携帯電話機がハンドセット通話状態から待受状態に切替わった旨を状態判定手段が判定した場合に、メール着信通知をユーザに対して行う。
【００１７】
これにより、ユーザがハンドセット通話を終了する操作を行うことで携帯電話機がハンドセット通話状態から待受状態に切替わった後に、メール着信をユーザに認識させることができる。
【００１８】
請求項６に記載したハンズフリー機能付き車載装置によれば、制御手段は、メール着信した携帯電話機がハンドセット通話状態を選択しているときにハンズフリー機能付き車載装置側の音声出力手段から出力させるメール着信通知音の音量をメール着信した携帯電話機が待受状態を選択しているときにハンズフリー機能付き車載装置側の音声出力手段から出力させるメール着信通知音の音量よりも小さく設定している。
【００１９】
これにより、携帯電話機が待受状態にあるときにはメール着信通知音の音量が大きいことでメール着信をユーザに確実に認識させることができ、一方、携帯電話機がハンズフリー通話状態にあるときにはメール着信通知音の音量が小さいことでメール着信をユーザに認識させることができつつもハンズフリー通話の受話音声に与える影響を抑えることができ、ハンズフリー通話の受話音声がメール着信通知音で聞取り難くなることを回避することができる。
【００２０】
請求項７に記載した携帯電話機によれば、ハンズフリー機能付き車載装置との間でハンズフリー通話を実現するためのハンズフリー通話プロトコルとメール転送を実現するためのメール転送プロトコルとを同時接続可能に構成され、ハンズフリー通話プロトコルを接続している状態で当該ハンズフリー機能付き車載装置との間で音声パスを開通させて当該ハンズフリー機能付き車載装置側の音声入力手段により入力された音声を送話音声として通話相手に送信させ且つ通話相手から受信された音声を当該ハンズフリー機能付き車載装置側の音声出力手段から受話音声として出力させるハンズフリー通話状態及びハンズフリー機能付き車載装置との間で音声パスを閉鎖させて自機の音声入力手段により入力した音声を送話音声として通話相手に送信し且つ通話相手から受信した音声を自機の音声出力手段から受話音声として出力するハンドセット通話状態のうち何れかを選択可能であり、ハンズフリー機能付き車載装置との間でハンズフリー通話プロトコルとメール転送プロトコルとを同時接続しており、自機がハンズフリー通話状態を設定しているときにメール着信した場合にメール着信した旨をハンズフリー機能付き車載装置に通知し、自機がハンドセット通話状態を設定しているときにメール着信した場合にメール着信した旨をハンズフリー機能付き車載装置に通知しない。
【００２１】
これにより、自機がハンズフリー通話状態を設定しているときにメール着信した場合であれば、メール着信した旨をハンズフリー機能付き車載装置に通知することで、メール着信を通知する動作をハンズフリー機能付き車載装置に行わせることができ、一方、自機がハンドセット通話状態を設定しているときにメール着信した場合であれば、メール着信した旨をハンズフリー機能付き車載装置に通知しないことで、メール着信を通知する動作をハンズフリー機能付き車載装置に行わせなくすることができ、上記した請求項３に記載したものと同様にして、ユーザのプライバシーを確実に確保することができ、ユーザの意図を損なうことなく適切に対処することができる。
【発明を実施するための最良の形態】
【００２２】
（第１の実施形態）
以下、本発明の第１の実施形態について、図１乃至図８を参照して説明する。尚、ここでは、Ｂｌｕｅｔｏｏｔｈ（登録商標）（以下、ＢＴと称する）通信機能を有するＢＴ対応の車載ハンズフリー装置（本発明でいうハンズフリー機能付き車載装置）が搭載されている車両の車室内に、ＢＴ通信機能を有するＢＴ対応の携帯電話機が車室内に持込まれ、車載ハンズフリー装置と携帯電話機とがＢＴ通信可能な状態にある場合を説明する。
【００２３】
車載ハンズフリーシステム１は、車載ハンズフリー装置２と携帯電話機３とから構成されている。車載ハンズフリー装置２は、制御部４（本発明でいうメール着信判定手段、状態判定手段、制御手段）と、ＢＴインタフェース（ＩＦ）部５（本発明でいう接続手段）と、通話音声処理部６と、記憶部７と、表示制御部８と、タッチ操作入力部９とを備えて構成されている。
【００２４】
制御部４は、周知のマイクロコンピュータからなるＣＰＵ、ＲＡＭ、ＲＯＭ及びＩ／Ｏバス等を有し、車載ハンズフリー装置２の通信動作やデータ管理動作等の動作全般を制御する。ＢＴインタフェース部５は、携帯電話機３との間でＢＴ通信を行う機能を有し、ＢＴの通信規格により定義されているハンズフリー通話を実現するためのハンズフリー・プロファイル（ＨＦＰ）（本発明でいうハンズフリー通話プロトコル）及びメール転送を実現するためのメッセージ・アクセス・プロファイル（ＭＡＰ）（本発明でいうメール転送プロトコル）に対応しており、それらプロファイルを同時接続（所謂マルチ接続）可能に構成されている。尚、ここでいうメールとは周知のコンピュータネットワークを通じて交換される文字メッセージや画像データ等の総称である。又、ＢＴインタフェース部５は、これらＨＦＰ及びＭＡＰの他に、電話帳データや発信履歴データや着信履歴データの転送を実現するためのフォンブック・アクセス・プロファイル（ＰＢＡＰ）や各種データの転送を実現するためのオブジェクト・プッシュ・プロファイル（ＯＰＰ）等にも対応している。これらプロファイルは、機能毎に定義された通信プロトコルを意味している。
【００２５】
通話音声処理部６には車室内にあって例えばハンドルの近傍等のユーザが発した音声を集音し易い部位に配置されているマイクロホン１０（本発明でいう車載ハンズフリー装置側の音声入力手段）が接続されていると共に、車載ハンズフリー装置２の外部に配置されているオーディオアンプ１１が接続されており、オーディオアンプ１１には２個のスピーカ１２，１３（本発明でいう車載ハンズフリー装置側の音声出力手段）が接続されている。スピーカ１２，１３は車載ハンズフリー装置２を搭載している車両の全長方向を対称中心して左右対称に配置されており、スピーカ１２は例えば運転席ドアに配置され、スピーカ１３は例えば助手席ドアに配置されている。又、オーディオアンプ１１にはチューナーデッキ１４も接続されており、オーディオアンプ１１はチューナーデッキ１４が例えば音楽用記録媒体から再生した楽曲音やラジオ放送局から受信したラジオ番組を当該チューナーデッキ１４から入力すると、それら入力した楽曲音やラジオ番組を増幅してスピーカ１２，１３から出力させる。
【００２６】
記憶部７は、各種データを記憶可能に構成されており、例えば電話番号と登録名との対応を表す電話帳データ、車載ハンズフリー装置２からの発信動作又は当該車載ハンズフリー装置２との間でＨＦＰを接続している携帯電話機３からの発信動作に係る発信時刻と発信電話番号との対応を表す発信履歴データ、車載ハンズフリー装置２との間でＨＦＰを接続している携帯電話機３の着信動作に係る着信時刻と着信電話番号との対応を表す着信履歴データ等を記憶可能に構成されている。
【００２７】
ディスプレイ装置１５は、各種表示画面を表示する表示装置１６（本発明でいう車載ハンズフリー装置側の表示手段）と、表示画面上にタッチスイッチを形成するタッチ操作入力装置１７とを備えて構成されている。表示制御部８は、制御部４から表示指令通知を入力すると、その入力した表示指令通知に基づいてディスプレイ装置１５における表示装置１６の表示動作を制御する。タッチ操作入力部９は、ユーザが表示画面上に形成されているタッチスイッチを操作したことに応じてタッチ操作入力装置１７から操作検出通知を入力すると、その入力した操作検出通知を制御部４に出力し、制御部４は、タッチ操作入力部９から入力した操作検出通知を解析する。
【００２８】
携帯電話機３は、自機の動作全般を制御する制御部、通信網１８との間で電話通信を行う電話通信部、ＢＴ通信を行うＢＴインタフェース部、ユーザが操作する各種キーが配列されてなるキー入力部、例えば電話番号と登録名との対応を表す電話帳データ等の各種データを記憶する記憶部、各種表示画面を表示する表示部、ユーザが発した音声を入力するマイクロホン（本発明でいう携帯電話機の音声入力手段）、通話相手から受信した音声を受話音声として出力するスピーカ（本発明でいう携帯電話機の音声出力手段）を備えて構成されている。この場合、携帯電話機３のＢＴインタフェース部は、車載ハンズフリー装置２との間でＢＴ通信を行う機能を有し、車載ハンズフリー装置２のＢＴインタフェース部５と同様にしてＨＦＰ及びＭＡＰに対応しており、車載ハンズフリー装置２との間でＨＦＰ及びＭＡＰを同時接続可能に構成されている。
【００２９】
ここで、車載ハンズフリー装置２と携帯電話機３とが両者の間でＨＦＰを接続している場合に、通信網１８から携帯電話機３への音声着信が発生した場合を説明する。ここでいう通信網１８は携帯電話基地局や基地局制御装置等の周知の携帯電話通信サービスを提供する設備を含むものである。
【００３０】
携帯電話機３は、車載ハンズフリー装置２との間でＨＦＰを接続している場合に、通信網１８から音声着信が発生した旨を検知すると、音声着信した旨を示す音声着信通知を車載ハンズフリー装置２に送信する。この場合、携帯電話機３は、自機を識別する識別情報（例えば自機に登録されている電話番号等）を含む音声着信通知を車載ハンズフリー装置２に送信し、通信網１８から通話相手となり得る発信元電話番号を受信していれば、その通信網１８から受信した発信元電話番号をも含む音声着信通知を車載ハンズフリー装置２に送信する。又、携帯電話機３は、自機がインバンドリングトーンに対応している携帯電話機であれば、自機に登録されている音声着信通知音をも車載ハンズフリー装置２に送信する。
【００３１】
車載ハンズフリー装置２において、制御部４は、携帯電話機３から音声着信通知をＢＴインタフェース部５により受信すると、携帯電話機３から音声着信通知音を受信していなければ、自装置に登録されている音声着信通知音をスピーカ１２，１３から出力させることで携帯電話機３が音声着信した旨をユーザに通知し、携帯電話機３から音声着信通知音を受信していれば、その受信した音声着信通知音（携帯電話機３に登録されている音声着信通知音）をスピーカ１２，１３から出力させる。又、制御部４は、携帯電話機３が音声着信した旨を示す図２に示す音声着信中通知画面１９を表示装置１６に表示させる。
【００３２】
これにより、ユーザは、スピーカ１２，１３から出力される音声着信通知音を聞いたり表示装置１６に表示される音声着信中通知画面１９を見たりすることで携帯電話機３への音声着信が発生した旨を認識可能となる。そして、ユーザは、携帯電話機３が音声着信した旨を認識すると、車載ハンズフリー装置２を操作することで携帯電話機３の音声着信に対してハンズフリー通話で応答するか応答拒否するかを選択可能であり、携帯電話機３を操作することで携帯電話機３の音声着信に対してプライベート通話（本発明でいうハンドセット通話）で応答するか応答拒否するかを選択可能である。ここでいうハンズフリー通話とは携帯電話機３と車載ハンズフリー装置２との間で音声パスが開通されて音声が送受信されることで車載ハンズフリー装置２に接続されているマイクロホン１０及びスピーカ１２，１３を使用して通話することであり、一方、プライベート通話とは携帯電話機３と車載ハンズフリー装置２との間で音声パスが閉鎖されて音声が送受信されないことで携帯電話機３のマイクロホン及びスピーカを使用して通話することである。
【００３３】
図２は、通信網１８から音声着信した携帯電話機３から発信元電話番号として「０９０＊＊＊＊＊＊０１」を受信し、その携帯電話機３から受信した発信元電話番号に対応する登録名として「織田○○」を電話帳データとして記憶している場合を示している。制御部４は、携帯電話機３が音声着信した旨を示す音声着信中通知画面１９においては、音声着信中にある旨を示す「着信中」を状態表示領域１９ａに表示させ、発信元の情報である「０９０＊＊＊＊＊＊０１」及び「織田○○」を発信元情報表示領域１９ｂに表示させる。
【００３４】
又、制御部４は、ユーザが音声着信に対して応答するために操作可能な応答スイッチ１９ｃ、ユーザが音声着信に対して応答拒否するために操作可能な応答拒否スイッチ１９ｄ、ユーザがスピーカ１２，１３から出力される音声着信通知音の音量を増大させるために操作可能なアップスイッチ１９ｅ及びユーザがスピーカ１２，１３から出力される音声着信通知音の音量を低下させるために操作可能なダウンスイッチ１９ｆを形成して表示させる。更に、制御部４は、音声着信した携帯電話機３から受信した当該携帯電話機３の電池の残容量を表す残容量アイコンや電波の受信状態を表す電波受信状態アイコンを電話機状態表示領域１９ｇに表示させる。
【００３５】
このように携帯電話機３が音声着信状態にある場合には、ユーザは、音声着信中通知画面１９の応答スイッチ１９ｃを操作することで携帯電話機３の音声着信に対してハンズフリー通話で応答可能であり、音声着信中通知画面１９の応答拒否スイッチ１９ｄを操作することで携帯電話機３の音声着信に対して応答拒否可能であり、携帯電話機３の応答キーを操作することで携帯電話機３の音声着信に対してプライベート通話で応答可能であり、携帯電話機３の応答拒否キーを操作することで携帯電話機３の音声着信に対して応答拒否可能である。
【００３６】
図３は、ユーザが音声着信中通知画面１９の応答スイッチ１９ｃを操作して携帯電話機３の音声着信に対してハンズフリー通話で応答した場合を示している。制御部４は、ユーザが音声着信中通知画面１９の応答スイッチ１９ｃを操作した旨を判定すると、音声着信に対する応答動作を携帯電話機３に行わせ、ＢＴインタフェース部５と携帯電話機３との間で音声パスを開通させ、携帯電話機３が音声着信状態からハンズフリー通話状態に切替わった後に、図２に示した音声着信中通知画面１９から図３に示すハンズフリー通話中にある旨を示すハンズフリー通話中通知画面２０に切替える。
【００３７】
制御部４は、ハンズフリー通話中通知画面２０においては、ハンズフリー通話状態にある旨を示す「ハンズフリー通話中」を状態表示領域２０ａに表示させ、発信元の情報である「０９０＊＊＊＊＊＊０１」及び「織田○○」を発信元情報表示領域２０ｂに表示させる。又、制御部４は、ユーザがハンズフリー通話を保留するために操作可能な通話保留スイッチ２０ｃ、ユーザがハンズフリー通話を切断するために操作可能な通話切断スイッチ２０ｄ、ユーザがハンズフリー通話をプライベート通話に切替える（転送する）ために操作可能な通話転送スイッチ２０ｅ、ユーザがスピーカ１２，１３から出力される受話音声の音量を増大させるために操作可能なアップスイッチ２０ｆ及びユーザがスピーカ１２，１３から出力される受話音声の音量を低下させるために操作可能なダウンスイッチ２０ｇを形成して表示させる。更に、制御部４は、この場合も、携帯電話機３から受信した当該携帯電話機３の電池の残容量を表す残容量アイコンや電波の受信状態を表す電波受信状態アイコンを電話機状態表示領域２０ｈに表示させる。
【００３８】
一方、図４は、ユーザが携帯電話機３の応答キーを操作して携帯電話機３の音声着信に対してプライベート通話で応答した場合を示している。制御部４は、ユーザが携帯電話機３の応答キーを操作した旨を判定すると、音声着信に対する応答動作を携帯電話機３に行わせ、ＢＴインタフェース部５と携帯電話機３との間で音声パスを開通させることなく、携帯電話機３が音声着信状態からプライベート通話状態に切替わった後に、図２に示した音声着信中通知画面１９から図４に示すプライベート通話中にある旨を示すプライベート通話中通知画面２１に切替える。
【００３９】
制御部４は、プライベート通話中通知画面２１においては、プライベート通話中にある旨を示す「プライベート通話中」を状態表示領域２１ａに表示させ、発信元の情報である「０９０＊＊＊＊＊＊０１」及び「織田○○」を発信元情報表示領域２１ｂに表示させる。又、制御部４は、ユーザがプライベート通話をハンズフリー通話に切替えるために操作可能な通話転送スイッチ２１ｃを形成して表示させる。更に、制御部４は、この場合も、携帯電話機３から受信した当該携帯電話機３の電池の残容量を表す残容量アイコンや電波の受信状態を表す電波受信状態アイコンを電話機状態表示領域２１ｄに表示させる。
【００４０】
次に、上記した構成の作用について、図５乃至図８を参照して説明する。図５は、車載ハンズフリー装置２が行う処理をフローチャートにより示している。車載ハンズフリー装置２において、制御部４は、通信網１８から携帯電話機３へのメール着信が発生したか否かを判定するメール着信検知処理を開始すると、通信網１８から携帯電話機３へのメール着信が発生したか否かを判定する（ステップＳ１）。ここで、制御部４は、通信網１８から携帯電話機３へのメール着信が発生していない旨を判定すると（ステップＳ１にて「ＮＯ」）、メール着信検知処理を終了して他の処理（例えばメイン処理）にリターンする。
【００４１】
さて、制御部４は、携帯電話機３からメール着信通知を入力することで通信網１８から携帯電話機３へのメール着信が発生した旨を判定すると（ステップＳ１にて「ＹＥＳ」）、携帯電話機３から状態通知を入力することでメール着信した携帯電話機３がハンズフリー通話状態にあるかプライベート通話状態にあるか待受状態（音声着信を待受している状態）にあるか否かを判定する（ステップＳ２，Ｓ３）。
【００４２】
ここで、制御部４は、携帯電話機３から状態通知を入力することでメール着信した携帯電話機３がハンズフリー通話状態及びプライベート通話状態の何れでもなく待受状態にある旨を判定すると（ステップＳ２にて「ＮＯ」、Ｓ３にて「ＮＯ」）、メール着信した旨を示すメール着信通知画面を待受画面上にポップアップ表示させると同時に、メール着信した旨を示すメール着信通知音をスピーカ１２，１３から出力させる（ステップＳ４）。即ち、制御部４は、図６に示すように、経路案内中にある経路案内画面（地図画面上に車両現在位置が重畳表示されている画面）２２を待受画面として表示装置１６に表示させているときに携帯電話機３がメール着信した場合であれば、メール着信通知画面２３を待受画面である経路案内画面２２上にポップアップ表示させる。これにより、ユーザは経路案内画面２２上にポップアップ表示されるメール着信通知画面２３を見ることでメール着信を視覚的にリアルタイムに認識することができ、スピーカ１２，１３から出力されるメール着信通知音を聞くことでメール着信を聴覚的にリアルタイムに認識することができる。
【００４３】
又、制御部４は、携帯電話機３から状態通知を入力することでメール着信した携帯電話機３がハンズフリー通話状態にある旨を判定すると（ステップＳ２にて「ＹＥＳ」）、メール着信した旨を示すメール着信通知画面をハンズフリー通話中通知画面上にポップアップ表示させると同時に、メール着信した旨を示すメール着信通知音をスピーカ１２，１３から出力させる（ステップＳ５）。即ち、制御部４は、図３に示したハンズフリー通話中通知画面２０を表示装置１６に表示させているときに携帯電話機３がメール着信した場合であれば、図７に示すように、メール着信通知画面２４をハンズフリー通話中通知画面２０上にポップアップ表示させる。これにより、ユーザはハンズフリー通話中通知画面２０上にポップアップ表示されるメール着信通知画面２４を見ることでメール着信を視覚的にリアルタイムに認識することができ、スピーカ１２，１３から出力されるメール着信通知音を聞くことでメール着信を聴覚的にリアルタイムに認識することができる。
【００４４】
尚、制御部４は、携帯電話機３がハンズフリー通話状態にあるときに出力させるメール着信通知音の音量を携帯電話機３が待受状態にあるときに出力させるメール着信通知音の音量よりも小さく設定している。即ち、制御部４は、例えばユーザが待受状態にあるときに出力させるメール着信通知音の音量を手動で設定した場合には、その設定した音量よりも小さい音量をハンズフリー通話状態にあるときに出力させるメール着信通知音の音量として自動的に設定する。これとは反対に、制御部４は、例えばユーザがハンズフリー通話待受状態にあるときに出力させるメール着信通知音の音量を手動で設定した場合には、その設定した音量よりも大きい音量を待受状態にあるときに出力させるメール着信通知音の音量として自動的に設定する。
【００４５】
又、制御部４は、携帯電話機３から状態通知を入力することでメール着信した携帯電話機３がプライベート通話状態にある旨を判定すると（ステップＳ３にて「ＹＥＳ」）、メール着信した旨を示すメール着信通知画面をプライベート通話中通知画面上にポップアップ表示させるが、この場合は、メール着信した旨を示すメール着信通知音をスピーカ１２，１３から出力させることはない（ステップＳ６）。即ち、制御部４は、図４に示したプライベート通話中通知画面２１を表示装置１６に表示させているときに携帯電話機３がメール着信した場合であれば、図８に示すように、メール着信通知画面２５をプライベート通話中通知画面２１上にポップアップ表示させるが、メール着信通知音をスピーカ１２，１３から出力させることはない。これにより、ユーザはプライベート通話中通知画面２１上にポップアップ表示されるメール着信通知画面２５を見ることでメール着信を視覚的にリアルタイムに認識することができ、又、メール着信通知画面２５が表示されるだけでメール着信通知音が出力されないことでユーザ以外の同乗者にメール着信を気付かれ難くすることできる。
【００４６】
以上に説明したように第１の実施形態によれば、車載ハンズフリー装置２において、携帯電話機３との間でＨＦＰ及びＭＡＰを接続しているときに、メール着信した携帯電話機３がハンズフリー通話状態にあれば、メール着信通知画面２４を表示装置１６に表示させたりメール着信通知音をスピーカ１２，１３から出力させたりするが、一方、メール着信した携帯電話機３がプライベート通話状態にあれば、メール着信通知画面２４を表示装置１６に表示させるだけでメール着信通知音をスピーカ１２，１３から出力させないように構成したので、ユーザ以外の同乗者にメール着信を気付かれ難くしてユーザのプライバシーを確保することができ、ユーザの意図を損なうことなく適切に対処することができる。
【００４７】
又、携帯電話機３がハンズフリー通話状態にあるときに出力させるメール着信通知音の音量を携帯電話機３が待受状態にあるときに出力させるメール着信通知音の音量よりも小さく設定したので、携帯電話機３が待受状態にあるときにはメール着信通知音の音量が大きいことでメール着信をユーザに確実に認識させることができ、一方、携帯電話機３がハンズフリー通話状態にあるときにはメール着信通知音の音量が小さいことでメール着信をユーザに認識させることができつつもハンズフリー通話の受話音声に与える影響を抑えることができ、ハンズフリー通話の受話音声がメール着信通知音で聞取り難くなることを回避することができる。
【００４８】
（第２の実施形態）
次に、本発明の第２の実施形態について、図９を参照して説明する。尚、上記した第１の実施形態と同一部分については説明を省略し、異なる部分について説明する。上記した第１の実施形態は、メール着信した携帯電話機３がプライベート通話状態にある場合に図８に示したようにメール着信通知画面２５をプライベート通話中通知画面２１上にポップアップ表示させることでメール着信した旨をユーザに視覚的に通知する構成であるが、第２の実施形態は、メール着信した携帯電話機３がプライベート通話状態にある場合にメール着信した旨をユーザに一切通知しない構成である。
【００４９】
即ち、図９において、制御部４は、メール着信検知処理を開始し、メール着信した携帯電話機３がプライベート通話状態にある旨を判定すると（ステップＳ３にて「ＹＥＳ」）、メール着信した旨を示すメール着信通知音をスピーカ１２，１３から出力させることなく、しかも、上記した第１の実施形態とは異なって、メール着信した旨を示すメール着信通知画面をプライベート通話中通知画面上にポップアップ表示させることなく、ステップＳ２，Ｓ３に戻り、メール着信した携帯電話機３がハンズフリー通話状態にあるかプライベート通話状態にあるか待受状態にあるか否かを再度判定する。
【００５０】
そして、制御部４は、メール着信した携帯電話機３がプライベート通話状態からハンズフリー通話状態に切替わった旨を判定すると（ステップＳ２にて「ＹＥＳ」）、上記した第１の実施形態と同様にして、メール着信した旨を示すメール着信通知画面２４をハンズフリー通話中通知画面２０上にポップアップ表示させると同時に、メール着信した旨を示すメール着信通知音をスピーカ１２，１３から出力させる（ステップＳ５）。又、制御部４は、メール着信した携帯電話機３がプライベート通話状態から待受状態に切替わった旨を判定すると（ステップＳ２にて「ＮＯ」、Ｓ３にて「ＮＯ」）、メール着信した旨を示すメール着信通知画面２３を待受画面２２上にポップアップ表示させると同時に、メール着信した旨を示すメール着信通知音をスピーカ１２，１３から出力させる（ステップＳ４）。
【００５１】
以上に説明したように第２の実施形態によれば、車載ハンズフリー装置２において、携帯電話機３との間でＨＦＰ及びＭＡＰを接続しているときに、メール着信した携帯電話機３がハンズフリー通話状態にあれば、メール着信通知画面２４を表示装置１６に表示させたりメール着信通知音をスピーカ１２，１３から出力させたりするが、一方、メール着信した携帯電話機３がプライベート通話状態にあれば、メール着信通知画面２４を表示装置１６に表示させなくメール着信通知音をスピーカ１２，１３から出力させないように構成したので、ユーザのプライバシーを確実に確保することができ、ユーザの意図を損なうことなく適切に対処することができる。
【００５２】
又、メール着信した携帯電話機３がプライベート通話状態からハンズフリー通話状態又は待受状態に切替わると、メール着信通知画面２４，２３を表示装置１６に表示させたりメール着信通知音をスピーカ１２，１３から出力させたりするように構成したので、ユーザがプライベート通話からハンズフリー通話に切替える操作又はプライベート通話を終了する操作を行うことでメール着信をユーザに認識させることができる。
【００５３】
（その他の実施形態）
本発明は、上記した実施形態にのみ限定されるものではなく、以下のように変形又は拡張することができる。
車載ハンズフリー装置の機能が例えば車載ナビゲーション装置等の別の車載装置に組み込まれていても良い。
プライベート通話をハンズフリー通話に切替えるために操作可能な通話転送スイッチ、ハンズフリー通話をプライベート通話に切替えるために操作可能な通話転送スイッチ、音声着信に対して応答するために操作可能な応答スイッチ及び音声着信に対して応答拒否するために操作可能な応答拒否スイッチがディスプレイ装置にタッチスイッチとして形成される構成に限らず、それらスイッチが例えばハンドルの近傍や運転席と助手席との間に配置された機械的なスイッチから構成されていても良い。その場合、それらスイッチの操作手順を表示装置に表示させても良い。
【００５４】
各通知画面における各表示領域や各スイッチのレイアウトは他の態様であっても良い。
携帯電話機がメール着信通知をハンズフリー機能付き車載装置に送信した後に、ハンズフリー機能付き車載装置が携帯電話機の通話状態を判定してメール着信を通知する方法を選択する構成に限らず、携帯電話機が自機の通話状態を判定してメール着信通知を送信するか否かを決定するようにしても良い。即ち、携帯電話機において、自機がハンズフリー通話状態にあるときにメール着信した場合にメール着信通知をハンズフリー機能付き車載装置に送信することでメール着信通知をハンズフリー機能付き車載装置に行わせ、一方、自機がプライベート通話状態にあるときにメール着信した場合にメール着信通知をハンズフリー機能付き車載装置に送信しないことでメール着信通知をハンズフリー機能付き車載装置に行わせないようにしても良い。このような構成でも、ユーザがプライベート通話中にメール着信したときにユーザのプライバシーを確実に確保することができ、ユーザの意図を損なうことなく適切に対処することができる。
【００５５】
又、携帯電話機において、自機がハンズフリー通話状態にあるときにメール着信した場合にハンズフリー機能付き車載装置に送信するメール着信通知と自機がプライベート通話状態にあるときにメール着信した場合にハンズフリー機能付き車載装置に送信するメール着信通知とを区別することで、自機がハンズフリー通話状態にあるときにメール着信した場合にハンズフリー機能付き車載装置に行わせるメール着信通知と自機がプライベート通話状態にあるときにメール着信した場合にハンズフリー機能付き車載装置に行わせるメール着信通知とを区別するようにしても良い。即ち、前者の場合にメール着信通知画面を表示させると共にメール着信通知音を出力させ、後者の場合にメール着信通知画面を表示させるだけでメール着信通知音を出力させないようにしても良い。このような構成でも、ユーザがプライベート通話中にメール着信したときにユーザのプライバシーを確保することができ、ユーザの意図を損なうことなく適切に対処することができる。
【図面の簡単な説明】
【００５６】
【図１】本発明の第１の実施形態を示す機能ブロック図
【図２】着信中通知画面を示す図
【図３】ハンズフリー通話中通知画面を示す図
【図４】プライベート通話中通知画面を示す図
【図５】フローチャート
【図６】待受画面上に表示されるメール着信通知画面を示す図
【図７】ハンズフリー通話中通知画面上に表示されるメール着信通知画面を示す図
【図８】プライベート通話中通知画面上に表示されるメール着信通知画面を示す図
【図９】本発明の第２の実施形態を示すフローチャート
【符号の説明】
【００５７】
図面中、１は車載ハンズフリーシステム、２は車載ハンズフリー装置（ハンズフリー機能付き車載装置）、３は携帯電話機、４は制御部（メール着信判定手段、状態判定手段、制御手段）、５はＢＴインタフェース部（接続手段）、１０はマイクロホン（ハンズフリー機能付き車載装置側の音声入力手段）、１２，１３はスピーカ（ハンズフリー機能付き車載装置側の音声出力手段）、１６は表示装置（ハンズフリー機能付き車載装置側の表示手段）、１８は通信網である。
【図１】
2010136076.tif 000003
【図２】
2010136076.tif 000004
【図３】
2010136076.tif 000005
【図４】
2010136076.tif 000006
【図５】
2010136076.tif 000007
【図６】
2010136076.tif 000008
【図７】
2010136076.tif 000009
【図８】
2010136076.tif 000010
【図９】
2010136076.tif 000011